(57)【要約】【課題】利用者が荷物を収容した場所を容易に特定できるようにして、荷物を取り出す際の手間を解消する。【解決手段】個々を認識するための通し番号をそれぞれに付与され、利用者から預かった物品を個別に収容する複数のロッカー３と、預かった物品を利用者に返却する際、その利用者が所有するＩＣカード１４に書き込まれた情報を読み取る読取・書込み部１２と、通し番号を表示する表示部１３と、読取・書込み部１２が読み取った情報に基づき、預かった物品を収容したロッカー３の通し番号を表示部１３に表示させる機能を有する制御部６とを備える。【選択図】    図１
2005070839.tif 000002
【特許請求の範囲】
【請求項１】
個々を認識するための識別情報をそれぞれに付与され、利用者から預かった物品を個別に収容する複数の収容部と、
預かった物品を利用者に返却する際、その利用者が所有する記憶媒体に書き込まれた情報を読み取る読み取り部と、
前記識別情報を表示する表示部と、
前記読み取り部が読み取った情報に基づき、前記預かった物品を収容した収容部の識別情報を前記表示部に表示させる機能を有する制御部とを備える
物品の一時預かり装置。
【請求項２】
利用者から預かった物品を個別に収容する複数の収容部と、
前記複数の収容部を個別に認識するために前記複数の収容部に個々に対応付けて設けられた報知部と、
預かった物品を利用者に返却する際、その利用者が所有する記憶媒体に書き込まれた情報を読み取る読み取り部とを備え、
前記制御部は、前記読み取り部の読み取った情報に基づき、前記預かった物品を収容した収容部に対応付けて設けられた報知部を作動させる機能を備える
物品の一時預かり装置。
【請求項３】
前記複数の収容部に個別に設けられた施錠機構と、
利用者から物品を預かる際、その利用者が所有する記憶媒体から読み取った情報を記憶しておく記憶部と、
前記複数の収容部に個別に設けられ、前記利用者が所有する記憶媒体に書き込まれた情報を読み取る個別読み取り部とを備え、
前記制御部は、前記記憶部に記憶された情報と前記第２の読み取り部が読み取った情報とが一致した場合にのみ、これら記憶部および第２の読み取り部に対応付けられた収容部に設けられた前記施錠機構による施錠を解除する機能を備える請求項１または２記載の物品の一時預かり装置。
【発明の詳細な説明】
【０００１】
【発明の属する技術分野】
この発明は、集合ロッカーや駐輪場に用いて好適な物品の一時預かり装置に関する。
【０００２】
【従来の技術】
駅や公共施設等に設置されている一般的な集合ロッカーは、荷物を預ける際、利用料金に相当する硬貨を投入することによって施錠が実行され、鍵を抜き取ることによって実際に荷物の保管が開始される。荷物を取り出す際には、鍵を差し込んで施錠を解除することによって荷物が取り出せるようになる。
【０００３】
ところで、上記のような集合ロッカーにおいては、利用者が鍵を使って施錠、開錠の操作を行わなければならない、事前に硬貨等を用意し、それらをいちいち投入しなければならない等、利用の際に手間がかかるという問題がある。
【０００４】
そこで、下記の特許文献１のように、鍵を使わず電子的に開錠、施錠を行うという提案がなされている。当該の文献には、旅客運搬車両内に設置された手荷物収容装置において、切符等のカードを用いて施錠を行うことが記載されている。この手荷物収容装置では、手荷物を預ける際、切符等のカードに書き込まれた情報、例えば行き先、切符番号等を読取・書込み部を使ってそのカードから取得し、その情報を鍵として記憶するとともに施錠を行う。手荷物を取り出す際には、読取・書込み部を使って切符等のカードから鍵となる情報を読み取り、この情報が預ける際に記憶した情報と一致すれば施錠が解除される。
【０００５】
【特許文献１】
特開平９−１１９２４７号公報（第１−３頁、第１図）
【０００６】
【発明が解決しようとする課題】
ところで、上記のようなロッカーでは、ロッカーの設備全体の規模が大きいと、荷物を収容した場所を見つけるのに非常に手間がかかる。
この発明は、このような事情を考慮してなされたもので、利用者が荷物を収容した場所を容易に特定できるようにして、荷物を取り出す際の手間を解消することが可能な物品の一時預かり装置を提供することを目的とする。
【０００７】
【課題を解決するための手段】
この発明は、上記課題を解決するため、以下の手段を採用する。
請求項１に係る発明は、個々を認識するための識別情報をそれぞれに付与され、利用者から預かった物品を個別に収容する複数の収容部と、預かった物品を利用者に返却する際、その利用者が所有する記憶媒体に書き込まれた情報を読み取る読み取り部と、前記識別情報を表示する表示部と、前記読み取り部が読み取った情報に基づき、前記預かった物品を収容した収容部の識別情報を前記表示部に表示させる機能を有する制御部とを備える。
【０００８】
この発明によれば、物品を預けた利用者が、その物品を取り出そうとするとき、利用者が所有する記憶媒体を読み取り部に読み取らせると、物品を収容した収容部を認識するための識別情報が表示部に表示される。利用者は、一時預かり装置の周囲を歩き回ったりして物品を収めた収容部を探さなくても、表示された識別番号から物品を収容した収容部の場所を認知することができる。
【０００９】
請求項２に係る発明は、利用者から預かった物品を個別に収容する複数の収容部と、  前記複数の収容部を個別に認識するために前記複数の収容部に個々に対応付けて設けられた報知部と、預かった物品を利用者に返却する際、その利用者が所有する記憶媒体に書き込まれた情報を読み取る読み取り部とを備え、前記制御部は、前記読み取り部の読み取った情報に基づき、前記預かった物品を収容した収容部に対応付けて設けられた報知部を作動させる機能を備える。
【００１０】
この発明によれば、その物品を取り出そうとするとき、利用者が所有する記憶媒体を読み取り部に読み取らせると、物品を収容した収容部に対応付けて設けられた報知部が作動する。利用者は、一時預かり装置の周囲を歩き回ったりして物品を収めた収容部を探さなくても、報知部が作動したところを目指せば、物品を収容した収容部の場所を認知することができる。
【００１１】
請求項３に係る発明は、前記複数の収容部に個別に設けられた施錠機構と、利用者から物品を預かる際、その利用者が所有する記憶媒体から読み取った情報を記憶しておく記憶部と、前記複数の収容部に個別に設けられ、前記利用者が所有する記憶媒体に書き込まれた情報を読み取る個別読み取り部とを備え、前記制御部は、前記記憶部に記憶された情報と前記第２の読み取り部が読み取った情報とが一致した場合にのみ、これら記憶部および第２の読み取り部に対応付けられた収容部に設けられた前記施錠機構による施錠を解除する機能を備える。
【００１２】
この発明によれば、物品を収容した収容部に設けられた個別読み取り部に記憶媒体に読み取らせると、読み取った情報と物品を預ける際に記憶した情報とが一致した場合にのみ、物品を収容した収容部の施錠が解除される。収容部は、その間近でしか解錠することができない。
【００１３】
【発明の実施の形態】
以下、本発明の実施の形態について、図面を参照して説明する。
図１は、本発明を適用した集合ロッカー（物品の一時預かり装置）１を示す図である。集合ロッカー１は、スチール製のハウジング２の内部に、利用者から預かった物品を個別に収容する複数のロッカー（収容部）３が設けられている。ロッカー３には、図２に示すように、内部が中空とされた筐体４と、その筐体４の前面開口部を開閉する扉体５と、扉体５を施錠、解錠する施錠機構１５とが設けられている。扉体５は、取手部７を持って前後に押し引きすることにより、扉体５に設けられた旋回軸（図示略）を中心として筐体４の全面開口部を開閉できるようになっている。これら複数のロッカー３には、個々を認識するための通し番号（識別情報）が付与されている。
【００１４】
ハウジング２の側面部には、ＩＣカード１４（記憶媒体）に記憶された情報を読み取ったりＩＣカード１４に情報を書き込んだりする読取・書込み部（読み取り部）１２と、個々のロッカー３を認識するための通し番号を表示する表示部１３とが設けられている。個々のロッカー３の前面には、ＩＣカード１４に記憶された情報を読み取ったりＩＣカード１４に情報を書き込んだりする読取・書込み部（個別読み取り部）９と、自らの所在を明らかにするために点灯する報知ランプ（報知部）８と、ロッカー３の利用料金やＩＣカード１４に記憶させた所持金の残額を表示する表示部１０とが設けられている。
【００１５】
読取・書込み部９，１２は、常時電磁波を発しており、この電磁波により検出可能な範囲にＩＣカード１４が近づけられた場合に、このＩＣカード１４に対して情報の読み書きを行うことができるようになっている。また、ＩＣカード１４は、これを所有する利用者のＩＤナンバーや、電子化された利用者の所持金等の情報を記憶させておくものである。ＩＣカード１４には、市中に設置されたチャージ装置（図示略）を使い、所持金を電子化して記憶させることができるようになっている。
【００１６】
図３は、集合ロッカー１の機能ブロック図である。集合ロッカー１には、報知ランプ８、読取・書込み部９，１２、表示部１０，１３、施錠機構１５の各部を制御する制御部６と、情報を記憶する記憶部１１とが設けられている。制御部６は、読取・書込み部９にかざされたＩＣカード１４から読み取ったＩＤナンバーと、そのＩＤナンバーをもつ利用者が物品を預けたロッカー３に付与された通し番号と、物品を預かった日時および時間とを関連付けてデータベース化し、記憶部１１に記憶させる機能を有する。
また、制御部６は、読取・書込み部１２にかざされたＩＣカード１４から読み取ったＩＤナンバーを基に、そのＩＤナンバーをもつ利用者が物品を預けたロッカー３の通し番号を、記憶部１１に記憶させたデータベースを参照して特定し、特定された通し番号を表示部１３に表示させる表示機能を有する。
さらに、制御部６は、読取・書込み部１２にかざされたＩＣカード１４から読み取ったＩＤナンバーを基に、そのＩＤナンバーをもつ利用者が物品を預けたロッカー３の通し番号を、記憶部１１に記憶させたデータベースを参照して特定し、その通し番号を付与されたロッカー３の報知ランプ９を点灯させる報知機能を有する。
加えて、制御部６は、物品を預けたロッカー３に対応付けて設けられた読取・書込み部９にかざされたＩＣカード１４から読み取ったＩＤナンバーと、そのロッカー３に物品を預けた利用者のＩＤナンバーとを比較し両者が一致した場合のみ、そのロッカー３の施錠機構１５を作動させて施錠を解除する解錠機能を有する。
【００１７】
次に、上記の構成からなる集合ロッカー１の利用方法について説明する。
この集合ロッカー１に物品を預ける際、利用者が物品を預けたロッカー３に対応付けて設けられた読取・書込み部９にＩＣカード１４をかざすと、制御部６は、ＩＣカード１４から読み取ったＩＤナンバーと、物品を預けたロッカー３に付与された通し番号と、物品を預かった日時および時間とを関連付けてデータベース化し、記憶部１１に記憶させる。同時に、制御部６は、そのロッカー３の利用料金を、ＩＣカード１４の電子化された所持金のなかから引き去るとともにロッカー３を施錠する。物品を預ける際に利用者が負う手間は、物品をロッカー３に収容してＩＣカード１４をかざすだけである。
【００１８】
預けた物品を取り出す際、利用者が読取・書込み部１２にＩＣカード１４をかざすと、制御部６は、ＩＣカード１４から読み取ったＩＤナンバーと、そのＩＤナンバーをもつ利用者が物品を預けたロッカー３の通し番号とを、記憶部１１に記憶させたデータベースを参照して特定し、その通し番号を表示部１３に表示させる。同時に、制御部６は、その利用者が通し番号何番のロッカー３に物品を預けたかを記憶部１１に記憶させたデータベースを参照して特定し、その通し番号に対応付けられたロッカー３に設けられた報知ランプ８を点灯させる。利用者は、表示部１３に表示された通し番号や点灯した報知ランプをもとに物品を預けたロッカー３の所在を認知する。
【００１９】
物品を預けたロッカー３の所在が明らかになったらその場所に行き、物品を預けたロッカー３に対応付けて設けられた読取・書込み部９にＩＣカード１４をかざすと、制御部６は、そのロッカー３に物品を預けた利用者のＩＤナンバーを記憶部１１に記憶させたデータベースを参照して特定するとともに、特定されたＩＤナンバーとＩＣカード１４から読み取ったＩＤナンバーとを比較し両者が一致した場合のみ、そのロッカー３の施錠機構１５を作動させて解錠する。利用者は、解錠されたロッカー３から物品を取り出せばよい。
【００２０】
このように、本実施の形態においては、施錠の際、ＩＣカードを１４かざすだけで施錠されるため、硬貨等を投入する必要がない。また、ＩＣカード１４に記憶された個々人のＩＤナンバーを鍵として利用するためセキュリティーが高い。さらに、複数のロッカー３を利用する場合においても、一枚のＩＣカード１４があればそれでよく、複数の鍵を持つ必要が無くなる。
また、開錠の際には、物品を収容したロッカー３の通し番号を表示部１３に表示し、かつ物品を収容したロッカー３に設置された報知ランプ８を点灯させることで、利用者はロッカー３を探す手間が省け、例えば収容された場所を忘れた場合でも瞬時にその場所を認知することができる。また、複数のロッカー３を利用していた場合においても、一枚のＩＣカード１４で開錠できるため、それぞれのロッカー３に合う鍵を探す等の手間が省ける。
また、ロッカーの利用料金は、チャージ装置においてＩＣカード１４に金銭を振り込むことにより、所定の金額をストックできるようになっており、利用の際に引き去るため、そのつど料金を払う必要がない。
【００２１】
なお、以上説明した実施形態では、施錠機構１５の施錠・開錠操作と検索を別々の読取・書込み部９，１２で行う場合を例に説明したが、本発明の適用範囲はこれに限定されるものではない。要は、読取・書込み部９，１２でＩＣカード１４の情報を読み取り、読み取った情報を制御部６に送り、制御部６で処理した情報を施錠機構１５に送るため、例えば開錠の際において、第２の読取・書込み部１２にＩＣカード１４をかざした際に、制御部６に情報を送り、制御部６はこの方法に基づいて検索を行い、検索結果によって特定されたロッカー３の施錠機構１５に情報を送って、ロックを解除するようにしてもよい。
また、ＩＣカード１４に利用開始日を書き込むように構成し、かつロッカー設置場所以外の場所で利用期限および料金を確認する機器を設置し、ロッカー利用期限および料金を確認するようにしてもよい。
また、ＩＣカード１４にクレジットカードの機能を持たせ、物販等で利用した場合には、物販での利用の度合いに応じてロッカー利用料を無料にする機能を持たせてもよい。
また、ＩＣカード１４内のＩＤナンバーを用いて、特定のロッカー３をあらかじめ特定されたＩＤナンバー以外利用できないよう構成すれば、利用者を限定することができる。
さらに、上記の実施形態では集合ロッカーを例に説明したが、本発明の一時預かり装置は、駐輪場や駐車場等の施設にも適用できる。
【００２２】
【発明の効果】
請求項１に係る発明によれば、預かった物品を利用者に返却する際、利用者が所有する記憶媒体を読み取り部に読み取らせると、物品を収容した収容部を認識するための識別情報が表示部に表示されるので、利用者は、一時預かり装置の周囲を歩き回ったりして物品を収めた収容部を探さなくても、表示された識別番号を糸口にして物品を収容した収容部の場所を認知することができる。これにより、物品を取り出す際の手間を解消することができる。
【００２３】
請求項２に係る発明によれば、預かった物品を利用者に返却する際、利用者が所有する記憶媒体を読み取り部に読み取らせると、物品を収容した収容部に対応付けて設けられた報知部が作動するので、利用者は、一時預かり装置の周囲を歩き回ったりして物品を収めた収容部を探さなくても、報知部が作動したところを目指せば、物品を収容した収容部の場所を認知することができる。これにより、物品を取り出す際の手間を解消することができる。
【００２４】
請求項３に係る発明によれば、物品を収容した収容部に設けられた個別読み取り部に記憶媒体に読み取らせると、読み取った情報と物品を預ける際に記憶した情報とが一致した場合にのみ、物品を収容した収容部の施錠が解除される。つまり、物品を預けた収容部の間近でしか解錠することができず、物品が盗難されたり紛失したりすることがないので、安全性が高い。
【図面の簡単な説明】
【図１】この発明における実施の形態に係る集合ロッカーを適用した集合ロッカーの要部の斜視図である。
【図２】この発明における実施の形態に係る集合ロッカーの要部の拡大正面図である。
【図３】同収容装置の制御部の構成を示すブロック図である。
【符号の説明】
３    ロッカー
６    制御部
１２  読取・書込み部
１３  表示部
１４  ＩＣカード
【図１】
2005070839.tif 000003
【図２】
2005070839.tif 000004
【図３】
2005070839.tif 000005